(57)【特許請求の範囲】
【請求項１】
ステープルを収納する収納部を有するとともに、前端にフェースプレートを回動開閉自在に配置し、フェースプレートの中央の裏面に上記収納部から送り出されたステープルの打ち込み部を形成した電動ホッチキス用カートリッジにおけるジャム処理機構において、
上記カートリッジに、上記フェースプレートを開き方向に回動するように付勢するバネ手段と上記フェースプレートの裏面に対して前後方向に移動可能なロック手段とを設け、ロック手段を、後部の基片と基片の両側から前方に延びる両側片とから門形に形成し、両側片の前端を上記フェースプレートに形成された開口部に係脱可能とし、基片の両側には操作ボタンを形成し、
通常時は上記ロック手段を前進させて上記側片を上記開口部に係合しておき、詰ったステープルの除去時には、操作ボタンによって上記ロック手段を後方に引いて上記側片とフェースプレートの開口部との係合を解除する
ことを特徴とする電動ホッチキス用カートリッジにおけるジャム処理機構。
【発明の詳細な説明】
【０００１】
【発明の属する技術分野】
本発明は、電動ホッチキス用カートリッジにおいてフェースプレートの裏側に詰まったステープルを除去処理するジャム処理機構に関する。
【０００２】
【従来技術】
一般に、電動ホッチキス用カートリッジの前端にはフェースプレートが配置され、フェースプレートの裏面に形成された打ち込み部にステープルを供給し、このステープルの背面を、ステープル供給方向と直交する方向に作動するドライバプレートで打撃して被綴り材中に打込むように構成されている。
【０００３】
ステープルは打ち込み部に正しい姿勢で供給され、適正な厚みの被綴り材に対して十分な打ち込み力で打撃されるときは、正確な打ち込みが確保されるが、被綴り材が過度に厚かったり、打ち込み力が小さかったり、供給時にステープルの一方の脚部が曲がっていたりすると、打ち込み時にステープルが座屈し、打ち込み部に詰まってしまうことがある。そこで、詰まったジャムステープルを除去することができるようにするため、フェースプレートは回動して打ち込み部の周辺部を開放することができるように構成されている。ステープルが詰まったりしたときは、フェースプレートに指を掛け、押し上げて回動することにより打ち込み部を開き、詰まったステープルを除去すればよい。
【０００４】
【発明が解決しようとする課題】
しかしながら、このように指で直接にフェースプレートを開けるときに、指が詰まったステープルに触れて傷つけてしまうという危険があった。
【０００５】
本発明は上記問題点を解消し、指などで接触することなしにフェースプレートを開くことができる電動ホッチキス用カートリッジにおけるジャム処理機構を提供することをその課題とする。
【０００６】
【課題を解決するための手段】
前記課題を解決するため、本発明に係る電動ホッチキスにおけるジャム処理機構は、ステープルを収納する収納部を有するとともに、前端にフェースプレートを回動開閉自在に配置し、フェースプレートの中央の裏面に上記収納部から送り出されたステープルの打ち込み部を形成した電動ホッチキス用カートリッジにおけるジャム処理機構において、上記カートリッジに、上記フェースプレートを開き方向に回動するように付勢するバネ手段と上記フェースプレートの裏面に対して前後方向に移動可能なロック手段とを設け、ロック手段を、後部の基片と基片の両側から前方に延びる両側片とから門形に形成し、両側片の前端を上記フェースプレートに形成された開口部に係脱可能とし、基片の両側には操作ボタンを形成し、通常時は上記ロック手段を前進させて上記側片を上記開口部に係合しておき、詰ったステープルの除去時には、操作ボタンによって上記ロック手段を後方に引いて上記側片とフェースプレートの開口部との係合を解除することを特徴とする。
【０００７】
【発明の実施の形態】
図１において符号１は電動ホッチキス用カートリッジ１を示す。このカートリッジ１には、ステープルを収納する収納部２と、収納部２の前面下部から前方に突出形成された凸部３と、凸部３に形成されたステープル送り通路４とその前端を開閉するフェースプレート５とが配置されている。
【０００８】
ステープル収納部２にはリフィル６が収納されている。リフィル６は、真直のステープル材をシート状に連結して成るシート状ステープル７を積層して簡易包装したもので、例えば、特開平７ー１４８６７４号公報の図１にインナーカートリッジとして示されたようなものが挙げられる。
【０００９】
凸部３の送り通路４の後端開口部は、ステープル収納部２に収納された最下段のシート状ステープルに向き合うように形成されている。したがって、最下段のシート状ステープルはステープル収納部２から上記送り通路４に移行して前方に送られるように構成されている。なお、シート状ステープルの送り手段（図示せず）は、最下段のシート状ステープルに係合して前方に送り出すもので、電動ホッチキス本体側に配置されている。
【００１０】
次に、フェースプレート５は図２、図３に示されるように、門形に屈曲形成された板金で、中央部５ａの裏面にはステープルが１本入り込むだけの凹部によって打ち込み部１４が形成されている。打ち込み部１４はフェースプレート５が閉じ状態時には送り通路４の前端に臨むように形成されていると同時に、電動ホッチキス本体に設けられたドライバプレート（図示せず）の摺動を案内するように形成されている。そして、フェースプレート５の両側片５ｂの端部は、収納部２の前面に形成された支持部８の軸９に回動自在に軸着され、上方に回動したときは送り通路４の前端が開放され、下方に回動したときは上記送り通路４の前端を閉鎖して打ち込み部１４を形成する。
【００１１】
なお、電動ホッチキス本体には上記ドライバプレートとともにフォーミングプレートが重合状態で配設され、フォーミングプレートが駆動されることにより、送り通路４の前端部のステープル材が門形に成形される。成形されたステープルは上記フェースプレート５の打ち込み部１４に送られ、ドライバプレートに打撃されて被綴り材中に打ち込まれ、その後被綴り材を貫通したステープルの脚部はクリンチャ手段（図示せず）により折り曲げられ、綴り作動を終了するのである。
【００１２】
ところで、上記フェースプレート５は軸９に巻き回された捩りコイルバネ１０により常時開き方向に回動するように付勢されている。また、フェースプレート５の前部の両側には開口部１１が形成されている。
【００１３】
これに対し、凸部３には前後方向に摺動可能なロック手段１２が配置されている。ロック手段１２は基片１２ａと両側片１２ｂとから門形に形成され、両側片１２ｂの先端はフェースプレート５の開口部１１に係脱可能に取り付けられている。また、基片１２ａの両側には操作ボタン１３が取り付けられ、この操作ボタン１３は凸部３の両側に露出している。
【００１４】
上記構成において、通常時はフェースプレート５を閉鎖し、フェースプレート５の係止部１１にロック手段１２を係合させておき、この状態で綴り作業をする。この作業の途中でステープルが詰まってしまったときは、ジャムしたステープルを除去しなければならない。その場合、操作ボタン１３に指を掛けてロック手段１２を後方に引いて、図１に示すように、ロック手段１２の両側片とフェースプレート５の開口部１１との係合を解除操作する。フェースプレート５は捩りコイルバネ１０により付勢されているから上方に回動し、送り通路４の前端は開放される。これによって詰まったステープルは露出するので、手で除去すればよい。除去後はフェースプレート５を下方に回動し、操作ボタン１３を押し出して再びロック手段１２をフェースプレート５の開口部１１に係合させ、次の綴り作業が準備される。
【００１５】
上述のように、フェースプレート５とロック手段１２との係合を解除する操作によりフェースプレート５は自動的に回動して詰まったステープルを除去することができる。このように、除去作業時に指などで接触することなしにフェースプレート５を開くことができるから、指等を傷つけるおそれがなく、非常に安全である。
【００１６】
なお、上記カートリッジは上下逆の状態で使用される場合もある。
【図面の簡単な説明】
【図１】本発明に係る電動ホッチキス用カートリッジの側面図
【図２】上記カートリッジの底面図
【図３】フェースプレートとロック手段の斜視図
【符号の説明】
１  カートリッジ
５  フェースプレート
１０  捩りコイルバネ（バネ手段）
１２  ロック手段
１３  操作ボタン（操作手段）
【図１】
0003582417.tif 000002
【図２】
0003582417.tif 000003
【図３】
0003582417.tif 000004